【事件の表示】
　特願２０１０−５０３７４２「警報器」拒絶査定不服審判事件〔平成２１年　９月２４日国際公開、ＷＯ２００９／１１６２０３、請求項の数（１）〕について、次のとおり審決する。
【結　論】
　原査定を取り消す。
　本願の発明は、特許すべきものとする。
【理　由】
第１　手続の経緯
　本願は、２００８年１１月１９日（優先権主張２００８年３月１７日、日本国）を国際出願日とする出願であって、平成２３年１０月３１日付けで拒絶理由が通知され、平成２４年１月４日に意見書及び手続補正書が提出され、同年７月３１日付けで最後の拒絶理由が通知され、同年１０月５日に意見書及び手続補正書が提出されたが、平成２５年３月２５日付けで平成２４年１０月５日に提出された手続補正書でした補正が却下されるとともに平成２５年３月２５日付けで拒絶査定がされ、同年７月１日に拒絶査定に対する審判請求がされるとともに同時に特許請求の範囲を補正する手続補正書が提出され、その後、当審において同年１０月２４日付けで書面による審尋がされ、平成２６年１月６日に回答書が提出されたものである。
　
第２　平成２５年７月１日付け手続補正（以下、「本件補正」という。）の適否
１　本件補正の内容 
　本件補正は、特許請求の範囲について、本件補正により補正される前の（すなわち、平成２４年１月４日に提出された手続補正書により補正された）下記（１）に示す特許請求の範囲の記載を下記（２）に示す特許請求の範囲の記載へ補正するものである。  
　 
（１）本件補正前の特許請求の範囲
　「【請求項１】
　イベント信号を他の警報器との間で送受信する送受信回路部と、
　警報音を出力する警報音出力部と、
　警報表示を行う警報表示部と、
　警報停止手段を有する操作部と、
　異常を検出するセンサ部からの異常検出信号を受けて、連動元を示す警報音出力および警報表示を行わせると共に、異常を示すイベント信号を連動先の警報器に送信させる連動元警報出力処理部と、
　前記他の警報器から異常を示すイベント信号を受信した時に、連動先を示す警報音出力および警報表示を行わせる連動先警報出力処理部と、
　前記連動元を示す警報音出力および警報表示中に、前記警報停止手段の操作を検出した場合に、前記連動元を示す警報音の出力を停止させ且つ前記連動元を示す警報表示を維持すると共に、警報停止のイベント信号を前記他の警報器に送信して警報音出力および警報表示を停止させる連動元警報停止処理部と、
　前記連動先を示す警報音出力および警報表示中に、前記警報停止手段の操作を検出した場合に、前記連動先を示す警報音出力および警報表示を停止させると共に、警報停止のイベント信号を前記他の警報器に送信し、一方、前記連動先を示す警報音出力および警報表示中に、前記他の警報器から警報停止のイベント信号を受信した場合に、前記連動先を示す警報音出力および警報表示を停止させる連動先警報停止処理部と、
　を備えたことを特徴とする警報器。
　　【請求項２】
　請求項１に記載の警報器であって、
　前記連動元警報停止処理部は、前記連動元を示す警報音出力および警報表示中に、前記他の警報器から警報停止のイベント信号を受信した場合に、前記連動元を示す警報音の出力を停止させ且つ前記連動元を示す警報表示を維持する
　ことを特徴とする警報器。
　　【請求項３】
　請求項１または２に記載の警報器であって、
　警報停止モードを第１モード及び第２モードのいずれか一方に切替えるモード切替部を備え、
　前記連動元警報停止処理部は、前記第１モードの状態での前記連動元を示す警報音の出力中に、前記他の警報器からの警報停止のイベント信号を受信した場合に、警報音の出力を維持し、一方、前記第２モードの状態での前記連動元を示す警報音の出力中に、前記他の警報器からの警報停止のイベント信号を受信した場合に、前記連動元を示す警報音の出力を停止させる
　ことを特徴とする警報器。
　　【請求項４】
　請求項１〜３のいずれか１項に記載の警報器であって、
　前記連動先を示す警報の出力中に、前記センサ部からの異常検出信号を受けた場合に、
　前記連動先警報停止処理部は、警報の出力を停止し、
　前記連動元警報出力処理部は、連動元を示す警報を出力すると共に、異常を示すイベント信号を連動先の警報器に送信する
　ことを特徴とする警報器。」 
　
（２）本件補正後の特許請求の範囲
　「【請求項１】
　イベント信号を他の警報器との間で送受信する送受信回路部と、
　警報音を出力する警報音出力部と、
　警報表示を行う警報表示部と、
　警報停止手段を有する操作部と、
　異常を検出するセンサ部からの異常検出信号を受けて、連動元を示す警報音出力および警報表示を行わせると共に、異常を示すイベント信号を連動先の警報器に送信させる連動元警報出力処理部と、
　前記他の警報器から異常を示すイベント信号を受信した時に、連動先を示す警報音出力および警報表示を行わせる連動先警報出力処理部と、
　前記連動元を示す警報音出力および警報表示中に、前記警報停止手段の操作を検出した場合に、前記連動元を示す警報音の出力を停止させ且つ前記連動元を示す警報表示を維持すると共に、警報停止のイベント信号を前記他の警報器に送信して警報音出力および警報表示を停止させる連動元警報停止処理部と、
　前記連動先を示す警報音出力および警報表示中に、前記警報停止手段の操作を検出した場合に、前記連動先を示す警報音出力および警報表示を停止させると共に、警報停止のイベント信号を前記他の警報器に送信し、一方、前記連動先を示す警報音出力および警報表示中に、前記他の警報器から警報停止のイベント信号を受信した場合に、前記連動先を示す警報音出力および警報表示を停止させる連動先警報停止処理部と、
　を備
え、
　警報停止モードを第１モード及び第２モードのいずれか一方に切替えるモード切替部を備え、
　前記連動元警報停止処理部は、前記第１モードの状態での前記連動元を示す警報音の出力中に、前記他の警報器からの警報停止のイベント信号を受信した場合に、警報音の出力を維持し、一方、前記第２モードの状態での前記連動元を示す警報音の出力中に、前記他の警報器からの警報停止のイベント信号を受信した場合に、前記連動元を示す警報音の出力を停止させる
ことを特徴とする警報器。」
（なお、下線は、補正箇所を示すためのものである。）
　
２　本件補正の目的 
　本件補正は、本件補正前の特許請求の範囲の請求項１、２及び４を削除し、本件補正前の特許請求の範囲の請求項１を引用する請求項３を新たな請求項１とするものであるから、本件補正は、特許法第１７条の２第５項第１号に規定する請求項の削除を目的とするものに該当する。
　
３　むすび
　以上のとおり、本件補正は、特許法第１７条の２第５項第１号に規定する請求項の削除を目的とするものであり、また、特許法第１７条の２第３項及び第４項に違反するところはない。
　したがって、本件補正は適法なものである。
　
第３　本願発明 
　本願の特許請求の範囲の請求項１に係る発明（以下、「本願発明」という。）は、本件補正により補正された特許請求の範囲並びに国際出願時の明細書及び図面の記載からみて、その特許請求の範囲の請求項１に記載された事項により特定されるとおりのものであると認められるところ、本願発明は、上記「第２　１（２）」の【請求項１】のとおりである。 
　
第４　原査定の拒絶の理由の概要
　原査定の拒絶の理由の概要は、次のとおりである。
　
　「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　記　　　（引用文献等については引用文献等一覧参照）
・請求項　１〜４
・引用文献　１、２
・備考
　引用文献２には、警報音出力中に警報停止の操作を検出した場合、警報音出力を停止させ、警報停止のイベント信号を他の警報器に送信し、他の警報器からの警報停止のイベント信号を受信した場合、連動先を示す警報音出力は停止し連動元を示す警報音出力は維持するか、または連動先を示す警報音出力及び連動元を示す警報音出力を停止するようにすること等が記載されている。
　引用文献１、２に記載の発明は、警報という同一の技術分野に係るものであるから、引用文献１、２に記載の発明を適宜組み合わせることには、格別の困難性を見いだせない。
・・・（略）・・・
　　　　　　　　　　　引　用　文　献　等　一　覧
　１．特開２００５−２２２３１９号公報
　２．特開２００８−９４８１号公報」
　
第５　当審の判断
１　引用文献１の記載、記載事項及び引用発明
（１）引用文献１の記載
　特開２００５−２２２３１９号公報（以下、「引用文献１」という。）には、「警報器、当該警報器の制御方法および制御プログラム」に関して、図面とともに概ね次の記載がある（以下、順に、「記載１ａ」ないし「記載１ｈ」という。また、これらを、「引用文献１の記載」という。）。　
　
１ａ　「【００２８】
［１：警報システムの概要および特徴］
　まず最初に、図１を用いて、本実施例に係る警報システムの概要および特徴を説明する。図１は、本実施例に係る警報システムの全体構成を示すシステム構成図である。
【００２９】
　本実施例に係る警報システムは、図１に例示するように、一般住宅の台所や寝室、居間のほか、オフィスの一室などの比較的に小さな監視領域にそれぞれ設置された警報器１０を、連動用リード線９によって相互に通信可能に接続して構成される。そして、かかる警報システムにおいて、各警報器１０は、概略的には、監視領域で発生した火災やガスを検出して自ら警報を行うだけでなく、他の警報器１０に対して警報信号を送信するとともに、他の警報器１０から警報信号を受信して連動警報を行うものである。　
【００３０】
　つまり、図１に例示するような、一般住宅の１Ｆ台所（アドレスＡ）、１Ｆ居間（アドレスＢ）および２Ｆ寝室（アドレスＣ、アドレスＤ）にそれぞれ警報器１０を設置して配線接続した警報システムを例にすれば、例えば、１Ｆ台所の警報器１０が火災を検出すると、自ら警報灯および警報音を発するだけでなく、１Ｆ居間および２Ｆ寝室の警報器１０に警報信号を送信し、かかる警報信号を受信した居間および寝室の各警報器１０（アドレスＢ、ＣおよびＤの各警報器１０）でも、同様に警報音を発する。
・・・（略）・・・
【００３３】
　具体的に例を挙げれば、１階台所に設置された警報器１０が連動元である場合には「１階台所で警報が作動しました」といった音声メッセージを連動先で出力し、また、１階居間に設置された警報器１０が連動元である場合には「１階居間で警報が作動しました」といった音声メッセージを連動先で出力する。これによって、連動先に居る利用者はどこの警報器１０が連動元として発報したのかを容易に把握することができ、連動元の異常に対して早急な対応を採ることが可能になる。」（段落【００２８】ないし【００３３】）
　
１ｂ　「【００４０】
［２：警報器の構成］
　次に、図２、図３および図４を用いて、図１に示した警報器１０の構成を説明する。図２は、かかる警報器１０の正面の外観構成を示す外観図であり、図３は、かかる警報器１０の側面の外観構成を示す外観図であり、図４は、かかる警報器１０の内部構成を示すブロック図である。
・・・（略）・・・
【００４２】
　また、表カバー１の上部には、皿状に突出した火災検出部（チャンバー収容部）１１が形成され、火災検出部１１の周囲には、複数の煙流入口が設けられている。さらに、表カバーの上部角には、ガス（ＣＯ）を検出するためのガス検出部１２が設けられている。また、表カバー１の下部には、火災警報またはガス警報を出力するための火災警報ランプ６、ガス警報ランプ７およびスピーカ８が形成されている。　
【００４３】
　そして、警報器１０本体の下部には、警報点検や警報停止に使用する点検スイッチ１３が形成され、さらに、警報器１０の内部からは、他の警報器１０との間で警報信号などを送受信するための連動用リード線９が引き出されている。・・・（略）・・・
【００４４】
　このような外観を備える警報器１０の内部は、図４に例示するように、火災検出部１１と、ガス検出部１２と、点検スイッチ１３と、表示出力部１４と、音声出力部１５と、連動送受信部１６と、記憶部１７と、制御部（ＣＰＵ）２０とを備えて構成される。・・・（略）・・・
【００４５】
　このうち、火災検出部１１は、監視領域における火災の発生を検出する処理部である。・・・（略）・・・
【００４６】
　ガス検出部１２は、監視領域におけるＣＯガスの発生を検出する処理部である。・・・（略）・・・
【００４７】
　点検スイッチ１３は、警報点検や警報停止を受け付ける手段である。具体的には、監視時に点検スイッチ１３が引かれると、制御部２０は火災警報ランプ６、ガス警報ランプ７およびスピーカ８から点検用の警報を出力し、また、警報出力時に点検スイッチ１３が引かれると、制御部２０はスピーカ８からの音声警報の出力を停止するように制御するとともに、他の警報器１０に対して警報停止命令（信号）を送信する。
【００４８】
　火災警報ランプ６およびガス警報ランプ７は、表示出力部１４の制御に基づいて点灯または点滅することによって、警報器１０による異常検出状態を周囲に報知する赤色ＬＥＤなどの表示灯手段である。そして、表示出力部１４は、制御部２０からの指示に応じて、火災警報ランプ６およびガス警報ランプ７を点灯または点滅させる処理部である。なお、表示出力部１４の具体的な処理内容については、制御部２０の処理内容として後述する。
【００４９】
　スピーカ８は、音声出力部１５の制御に基づいて音声メッセージやブザー音を監視領域に出力することによって、警報器１０による異常検出状態や連動状態を周囲に報知する手段である。そして、音声出力部１５は、制御部２０からの指示に応じて、火災検出時やガス検出時、さらには、他の警報器１０から警報信号を受信した時などにスピーカ８を介して音声メッセー（当審注：「メッセー」は「メッセージ」の誤記である。以下、「メッセージ」と記載する。）やブザー音を出力する処理部である。なお、音声出力部１５の具体的な処理内容についても、制御部２０の処理内容として後述する。
【００５０】
　連動用リード線９は、当該警報器１０と他の警報器１０とを通信可能に接続するための接続手段である。そして、連動送受信部１６は、制御部２０からの指示に応じて、連動用リード線９を介して他の警報器１０に警報信号や警報停止信号を送信する一方、他の警報器１０から警報信号や警報停止信号を受信する処理部である。・・・（略）・・・」（段落【００４０】ないし【００５０】）
　
１ｃ　「【００５６】
　図４に戻って、制御部２０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、検出処理部２０ａと、警報処理部２０ｂと、連動処理部２０ｃとを備える。なお、連動処理部２０ｃは特許請求の範囲に記載の「連動警報処理手段」に対応する。
【００５７】
　このうち、検出処理部２０ａは、火災検出部１１およびガス検出部１２から入力された検出信号（煙濃度やガス濃度）に基づいて火災発生およびガス発生の有無を判断する処理部である。・・・（略）・・・」（段落【００５６】及び【００５７】）
　
１ｄ　「【００６０】
　警報処理部２０ｂは、検出処理部２０ａからの警報信号に基づいて火災発生やガス発生の警報を行う処理部である。具体的には、検出処理部２０ａから警報信号（火災プリ警報信号、ＣＯプリ警報信号、火災本警報信号またはＣＯ本警報信号）が入力された場合に、警報処理用テーブル１７ｂに記憶された警報処理内容を実行するように、表示出力部１４および音声出力部１５を制御することで、所定の音声メッセージやブザー音をスピーカ８から出力するとともに、火災警報ランプ６やガス警報ランプ７を点灯または点滅させる。
・・・（略）・・・
【００６６】
　なお、警報処理部２０ｂは、警報処理による警報出力が開始された後に、警報停止命令（点検スイッチ１３の押下、または、他の警報器１０からの警報停止信号の受信）を受け付けた場合には、警報処理のうち音声警報のみを停止させる。つまり、火災警報ランプ６およびガス警報ランプ７の点灯または点滅は維持しつつ、スピーカ２４から出力されていた音声メッセージ付きの警報音は停止させる。」（段落【００６０】ないし【００６６】）
　
１ｅ　「【００６７】
　連動処理部２０ｃは、検出処理部２０ａからの警報信号に基づいて他の警報器１０に対して警報信号を送信する処理部である。・・・（略）・・・
【００６８】
　また、連動処理部２０ｃは、連動送受信部１６を介して他の警報器１０から受信した警報信号に基づいて連動警報を行う処理部でもある。・・・（略）・・・」（段落【００６７】及び【００６８】）
　
１ｆ　「【００７４】
［３：検出警報処理］
　次に、本実施例の警報システムによる検出警報処理を説明する。図９は、本実施例による検出警報処理の流れを示すフローチャートである。
【００７５】
　なお、図９では、アドレスＡの警報器１０が異常を検出し、アドレスＢ、ＣおよびＤの警報器１０に対して警報信号を送信する場合を例に挙げているが、アドレスＢ、ＣまたはＤの警報器１０が異常を検出する場合も同様の処理が実行される。また、同図では、警報信号を受信したアドレスＢ、ＣおよびＤの警報器１０のうち、特にアドレスＣの警報器１０の処理を例に挙げているが、アドレスＢおよびＤの警報器１０においても同様の処理が実行される。
【００７６】
　図９に例示するように、警報器Ａ（アドレスＡの警報器１０）は、火災検出部１１またはガス検出部１２から検出値（煙濃度やガス濃度）が入力されると（ステップＳ９０１肯定）、検出値が検出処理用テーブル１７ａに記憶されている閾値濃度を超えたか否かを判定する（ステップＳ９０２）。
・・・（略）・・・
【００７８】
　そして、検出値がいずれの警報レベルの閾値も超えていなかった場合には（ステップＳ９０２否定）、警報器Ａは、上記のステップＳ９０１の処理に戻って次の検出値の入力を待つ（ステップＳ９０１）。これとは反対に、検出値がいずれかの警報レベルの閾値を超えていた場合には（ステップＳ９０２肯定）、警報器Ａは警報処理を実行する（ステップＳ９０３）。
・・・（略）・・・
【００８２】
　警報器Ａは、このような警報処理を実行するとともに、他の警報器１０（アドレスＢ、ＣおよびＤの警報器１０）に対して警報信号を送信する（ステップＳ９０４）。・・・（略）・・・
【００８３】
　そして、かかる警報信号を受信した他の警報器１０では、受信した警報信号に基づいて連動警報を行う（ステップＳ９０５）。・・・（略）・・・」（段落【００７４】ないし【００８３】）
　
１ｇ　「【００８６】
［４：警報停止処理］
　続いて、本実施例の警報システムによる警報停止処理を説明する。図１０は、本実施例による警報停止処理の流れを示すフローチャートである。
【００８７】
　なお、図１０では、アドレスＡ、Ｂ、ＣおよびＤの各警報器１０が警報若しくは連動警報を行っている状況で、アドレスＣの警報器１０が警報停止命令を受け付け、アドレスＡ、ＢおよびＤの警報器１０に対して警報停止信号を送信する場合を例に挙げているが、アドレスＡ、ＢまたはＤの警報器１０が警報停止命令を受け付ける場合も同様の処理が実行される。また、同図では、警報停止信号を受信したアドレスＡ、ＢおよびＤの警報器１０のうち、特にアドレスＡの警報器１０の処理を例に挙げているが、アドレスＢおよびＤの警報器１０においても同様の処理が実行される。
【００８８】
　図１０に例示するように、警報器Ｃ（アドレスＣの警報器１０）は、警報出力時に点検スイッチ１３が引かれると（ステップＳ１００１肯定）、警報停止命令を受け付けたものとして、警報処理のうち音声警報のみを停止させる（ステップＳ１００２）。つまり、火災警報ランプ６およびガス警報ランプ７の点灯または点滅は維持しつつ、スピーカ８から出力されていた音声メッセージ付きの警報音は停止する。　
【００８９】
　また、警報器Ｃは、自らの音声警報を停止させるだけでなく、連動用リード線９を介して他の警報器１０（アドレスＡ、ＢまたはＤの警報器１０）に警報停止命令（信号）を送信する（ステップＳ１００３）。そして、かかる警報停止命令を受信した他の警報器１０でも、警報処理のうち音声警報のみを停止させる（ステップＳ１００５）。　
・・・（略）・・・
【００９１】
　上記したように、連動警報によって複数の警報器１０がそれぞれ音声警報を出力している場合でも、いずれかの警報器１０で利用者が警報停止操作を行えば、全ての警報器１０の音声警報が停止するので、利用者は警報器１０それぞれに対して警報停止操作を行う必要がなくなり、全ての警報器１０の音声警報を簡易に停止することが可能になる。
【００９２】
　なお、ここでは、全ての警報器１０の音声警報を簡易に停止する例を説明したが、自己の監視領域で異常を検出している場合には、音声警報を停止することなく警報出力を継続してもよい。これによって、少なくとも自ら異常を検出している監視領域では、継続して警報が出力されるので、より安全性を確保することが可能になる。」（段落【００８６】ないし【００９２】）
　
１ｈ　「【０１０９】
（４）他の連動警報手法
　上記の実施例では、連動先の警報器１０において音声メッセージをスピーカ８から出力することで連動警報を行う場合を説明したが、本発明はこれに限定されるものではなく、例えば、所定の警報ランプ（連動用火災警報ランプや連動用ガス警報ランプ）を点灯または点滅させることで、音声メッセージと併せて連動警報を行うようにしてもよい。」（段落【０１０９】）
　
（２）引用文献１の記載事項
　引用文献１の記載１ａないし１ｈ及び図面の記載から、引用文献１には、次の事項が記載されていると認める（以下、順に「記載事項１ｉ」ないし「記載事項１ｐ」という。）。
　
１ｉ　記載１ａの「各警報器１０は、概略的には、監視領域で発生した火災やガスを検出して自ら警報を行うだけでなく、他の警報器１０に対して警報信号を送信するとともに、他の警報器１０から警報信号を受信して連動警報を行うものである。」（段落【００２９】）、記載１ｂの「このような外観を備える警報器１０の内部は、図４に例示するように、火災検出部１１と、ガス検出部１２と、点検スイッチ１３と、表示出力部１４と、音声出力部１５と、連動送受信部１６と、記憶部１７と、制御部（ＣＰＵ）２０とを備えて構成される。」（段落【００４４】）及び「連動用リード線９は、当該警報器１０と他の警報器１０とを通信可能に接続するための接続手段である。そして、連動送受信部１６は、制御部２０からの指示に応じて、連動用リード線９を介して他の警報器１０に警報信号や警報停止信号を送信する一方、他の警報器１０から警報信号や警報停止信号を受信する処理部である。」（段落【００５０】）並びに図面によると、引用文献１には、警報信号や警報停止信号を他の警報器１０との間で送受信する連動送受信部１６が記載されている。
　
１ｊ　記載１ｂの「このような外観を備える警報器１０の内部は、図４に例示するように、火災検出部１１と、ガス検出部１２と、点検スイッチ１３と、表示出力部１４と、音声出力部１５と、連動送受信部１６と、記憶部１７と、制御部（ＣＰＵ）２０とを備えて構成される。」（段落【００４４】）及び「音声出力部１５は、制御部２０からの指示に応じて、火災検出時やガス検出時、さらには、他の警報器１０から警報信号を受信した時などにスピーカ８を介して音声メッセージやブザー音を出力する処理部である。」（段落【００４９】）並びに図面によると、引用文献１には、音声メッセージやブザー音を出力する音声出力部１５が記載されている。
　
１ｋ　記載１ｂの「このような外観を備える警報器１０の内部は、図４に例示するように、火災検出部１１と、ガス検出部１２と、点検スイッチ１３と、表示出力部１４と、音声出力部１５と、連動送受信部１６と、記憶部１７と、制御部（ＣＰＵ）２０とを備えて構成される。」（段落【００４４】）及び「表示出力部１４は、制御部２０からの指示に応じて、火災警報ランプ６およびガス警報ランプ７を点灯または点滅させる処理部である。」（段落【００４８】）並びに図面によると、引用文献１には、火災警報ランプ６およびガス警報ランプ７の点灯または点滅を行う表示出力部１４が記載されている。
　
１ｌ　記載１ｂの「このような外観を備える警報器１０の内部は、図４に例示するように、火災検出部１１と、ガス検出部１２と、点検スイッチ１３と、表示出力部１４と、音声出力部１５と、連動送受信部１６と、記憶部１７と、制御部（ＣＰＵ）２０とを備えて構成される。」（段落【００４４】）、「点検スイッチ１３は、警報点検や警報停止を受け付ける手段である。」（段落【００４７】）及び図面によると、引用文献１には、警報停止を受け付ける点検スイッチ１３が記載されている。
　
１ｍ　記載１ｃの「図４に戻って、制御部２０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、検出処理部２０ａと、警報処理部２０ｂと、連動処理部２０ｃとを備える。」（段落【００５６】）及び「検出処理部２０ａは、火災検出部１１およびガス検出部１２から入力された検出信号（煙濃度やガス濃度）に基づいて火災発生およびガス発生の有無を判断する処理部である。」（段落【００５７】）、記載１ｄの「警報処理部２０ｂは、検出処理部２０ａからの警報信号に基づいて火災発生やガス発生の警報を行う処理部である。具体的には、検出処理部２０ａから警報信号（火災プリ警報信号、ＣＯプリ警報信号、火災本警報信号またはＣＯ本警報信号）が入力された場合に、警報処理用テーブル１７ｂに記憶された警報処理内容を実行するように、表示出力部１４および音声出力部１５を制御することで、所定の音声メッセージやブザー音をスピーカ８から出力するとともに、火災警報ランプ６やガス警報ランプ７を点灯または点滅させる。」（段落【００６０】）、記載１ｅの「連動処理部２０ｃは、検出処理部２０ａからの警報信号に基づいて他の警報器１０に対して警報信号を送信する処理部である。」（段落【００６７】）並びに図面によると、引用文献１には、火災検出部１１およびガス検出部１２からの検出信号を受けて、火災発生やガス発生の音声メッセージやブザー音のスピーカ８からの出力、火災警報ランプ６およびガス警報ランプ７の点灯または点滅を行わせるとともに火災発生やガス発生の警報信号を他の警報器１０に送信させる制御部２０が記載されている。
　
１ｎ　記載１ｃの「図４に戻って、制御部２０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、検出処理部２０ａと、警報処理部２０ｂと、連動処理部２０ｃとを備える。」（段落【００５６】）、記載１ｅの「連動処理部２０ｃは、連動送受信部１６を介して他の警報器１０から受信した警報信号に基づいて連動警報を行う処理部でもある。」（段落【００６７】）、記載１ｆの「かかる警報信号を受信した他の警報器１０では、受信した警報信号に基づいて連動警報を行う（ステップＳ９０５）。」（段落【００８３】）、記載１ｈの「上記の実施例では、連動先の警報器１０において音声メッセージをスピーカ８から出力することで連動警報を行う場合を説明したが、本発明はこれに限定されるものではなく、例えば、所定の警報ランプ（連動用火災警報ランプや連動用ガス警報ランプ）を点灯または点滅させることで、音声メッセージと併せて連動警報を行うようにしてもよい。」（段落【０１０９】）及び図面によると、引用文献１には、他の警報器１０から火災発生やガス発生の警報信号を受信した時に、連動先を示す音声メッセージやブザー音のスピーカ８からの出力並びに火災警報ランプ６およびガス警報ランプ７の点灯または点滅を行わせる制御部２０が記載されている。
　
１ｏ　記載１ｃの「図４に戻って、制御部２０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、検出処理部２０ａと、警報処理部２０ｂと、連動処理部２０ｃとを備える。」（段落【００５６】）、記載１ｄの「警報処理部２０ｂは、警報処理による警報出力が開始された後に、警報停止命令（点検スイッチ１３の押下、または、他の警報器１０からの警報停止信号の受信）を受け付けた場合には、警報処理のうち音声警報のみを停止させる。つまり、火災警報ランプ６およびガス警報ランプ７の点灯または点滅は維持しつつ、スピーカ２４から出力されていた音声メッセージ付きの警報音は停止させる。」（段落【００６６】）、記載１ｇの「図１０に例示するように、警報器Ｃ（アドレスＣの警報器１０）は、警報出力時に点検スイッチ１３が引かれると（ステップＳ１００１肯定）、警報停止命令を受け付けたものとして、警報処理のうち音声警報のみを停止させる（ステップＳ１００２）。つまり、火災警報ランプ６およびガス警報ランプ７の点灯または点滅は維持しつつ、スピーカ８から出力されていた音声メッセージ付きの警報音は停止する。」（段落【００８８】）及び「警報器Ｃは、自らの音声警報を停止させるだけでなく、連動用リード線９を介して他の警報器１０（アドレスＡ、ＢまたはＤの警報器１０）に警報停止命令（信号）を送信する（ステップＳ１００３）。そして、かかる警報停止命令を受信した他の警報器１０でも、警報処理のうち音声警報のみを停止させる（ステップＳ１００５）。」（段落【００８９】）並びに図面によると、引用文献１には、火炎発生やガス発生の音声メッセージやブザー音のスピーカ８からの出力、火災警報ランプ６やガス警報ランプ７の点灯または点滅中に、点検スイッチ１３の操作を検出した場合に、火災発生やガス発生の音声メッセージやブザー音のスピーカ８からの出力を停止させ且つ火災警報ランプ６およびガス警報ランプ７の点灯または点滅を維持すると共に、警報停止信号を他の警報器１０に送信して音声メッセージやブザー音のスピーカ８からの出力を停止させる制御手段２０が記載されている。
　
１ｐ　記載１ｃの「図４に戻って、制御部２０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、検出処理部２０ａと、警報処理部２０ｂと、連動処理部２０ｃとを備える。」、記載１ｆの「かかる警報信号を受信した他の警報器１０では、受信した警報信号に基づいて連動警報を行う（ステップＳ９０５）。」（段落【００８３】）、記載１ｇの「図１０に例示するように、警報器Ｃ（アドレスＣの警報器１０）は、警報出力時に点検スイッチ１３が引かれると（ステップＳ１００１肯定）、警報停止命令を受け付けたものとして、警報処理のうち音声警報のみを停止させる（ステップＳ１００２）。つまり、火災警報ランプ６およびガス警報ランプ７の点灯または点滅は維持しつつ、スピーカ８から出力されていた音声メッセージ付きの警報音は停止する。」（段落【００８８】）、「警報器Ｃは、自らの音声警報を停止させるだけでなく、連動用リード線９を介して他の警報器１０（アドレスＡ、ＢまたはＤの警報器１０）に警報停止命令（信号）を送信する（ステップＳ１００３）。そして、かかる警報停止命令を受信した他の警報器１０でも、警報処理のうち音声警報のみを停止させる（ステップＳ１００５）。」（段落【００８９】）及び「なお、ここでは、全ての警報器１０の音声警報を簡易に停止する例を説明したが、自己の監視領域で異常を検出している場合には、音声警報を停止することなく警報出力を継続してもよい。これによって、少なくとも自ら異常を検出している監視領域では、継続して警報が出力されるので、より安全性を確保することが可能になる。」（段落【００９２】）、記載１ｈの「上記の実施例では、連動先の警報器１０において音声メッセージをスピーカ８から出力することで連動警報を行う場合を説明したが、本発明はこれに限定されるものではなく、例えば、所定の警報ランプ（連動用火災警報ランプや連動用ガス警報ランプ）を点灯または点滅させることで、音声メッセージと併せて連動警報を行うようにしてもよい。」（段落【０１０９】）並びに図面によると、引用文献１には、連動先を示す音声メッセージやブザー音のスピーカ８からの出力並びに火災警報ランプ６およびガス警報ランプ７の点灯または点滅中に、点検スイッチ１３の操作を検出した場合に連動先を示す音声メッセージやブザー音のスピーカ８からの出力を停止させると共に、警報停止信号を他の警報器１０に送信し、一方、連動先を示す音声メッセージやブザー音のスピーカ８からの出力並びに火災警報ランプ６およびガス警報ランプ７の点灯または点滅中に、他の警報器から警報停止信号を受信した場合に、連動先を示す音声メッセージやブザー音のスピーカ８からの出力を停止させる制御装置２０が記載されている。
　
（３）引用発明
　引用文献１の記載１ａないし１ｈ、記載事項１ｉないし１ｐ及び図面を整理すると、引用文献１には、次の発明（以下、「引用発明」という。）が記載されていると認める。
　
　「警報信号や警報停止信号を他の警報器１０との間で送受信する連動送受信部１６と、
　音声メッセージやブザー音を出力する音声出力部１５と、
　火災警報ランプ６およびガス警報ランプ７の点灯または点滅を行う表示出力部１４と、
　警報停止を受け付ける点検スイッチ１３と、
　火災検出部１１およびガス検出部１２からの検出信号を受けて、火災発生やガス発生の音声メッセージやブザー音のスピーカ８からの出力、火災警報ランプ６およびガス警報ランプ７の点灯または点滅を行わせるとともに火災発生やガス発生の警報信号を他の警報器１０に送信させる制御部２０と、
　前記他の警報器１０から火災発生やガス発生の警報信号を受信した時に、連動先を示す音声メッセージやブザー音のスピーカ８からの出力並びに火災警報ランプ６およびガス警報ランプ７の点灯または点滅を行わせる制御部２０と、
　前記火炎発生やガス発生の音声メッセージやブザー音のスピーカ８からの出力、火災警報ランプ６およびガス警報ランプ７の点灯または点滅中に、点検スイッチ１３の操作を検出した場合に、火災発生やガス発生の音声メッセージやブザー音のスピーカ８からの出力を停止させ且つ火災警報ランプ６およびガス警報ランプ７の点灯または点滅を維持すると共に、警報停止信号を他の警報器１０に送信して音声メッセージやブザー音のスピーカ８からの出力を停止させる制御手段２０と、
　前記連動先を示す音声メッセージやブザー音のスピーカ８からの出力並びに火災警報ランプ６およびガス警報ランプ７の点灯または点滅中に、点検スイッチ１３の操作を検出した場合に連動先を示す音声メッセージやブザー音のスピーカ８からの出力を停止させると共に、警報停止信号を他の警報器１０に送信し、一方、連動先を示す音声メッセージやブザー音のスピーカ８からの出力並びに火災警報ランプ６およびガス警報ランプ７の点灯または点滅中に、他の警報器から警報停止信号を受信した場合に、連動先を示す音声メッセージやブザー音のスピーカ８からの出力を停止させる制御装置２０と、
　を備えた警報器１０。」
　　
２　引用文献２の記載
　特開２００８−９４８１号公報（平成２０年１月１７日公開。以下、「引用文献２」という。）には、「無線により連動警報するワイヤレス型火災警報器、及びワイヤレス型火災警報システム」に関して、図面とともに概ね次の記載がある（以下、これらを、「引用文献２の記載」という。）。
　　
２ａ　「【０００１】
　本発明は、火災を検知したときに自らは警報を出力し、他の火災警報器に連動警報を出力させるようにした住戸用火災警報器に関する。」（段落【０００１】）
　
２ｂ　「【００２５】
　なお、連動制御信号の思想は、警報中止信号に応用することも可能である。すなわち、警報停止操作がなされたときには、警報、又は連動警報の出力を中止し、更に、無線通信制御手段１６により警報中止信号を発信する一方、警報中止信号を受信した場合には、警報、又は連動警報の出力を中止するようにしてもよい。あるいは、警報停止操作がなされたとき、または、連動中止信号を受信したときに、連動警報は中止するが、自らの火災検知による警報の出力は中止しないようにして、火災検知している火災警報器１が識別できるようにしてもよい。」（段落【００２５】）
　
３　対比・判断
（１）対比
　本願発明と引用発明を対比する。
　
ア　引用発明における「警報信号や警報停止信号」は、その機能、構成及び技術的意義からみて、本願発明における「イベント信号」に相当し、以下、同様に、「他の」は「他の」及び「連動先の」に、「警報器１０」は「警報器」に、「連動送受信部１６」は「送受信回路部」に、それぞれ相当する。
　
イ　引用発明における「音声メッセージやブザー音」は、その機能、構成及び技術的意義からみて、本願発明における「警報音」に相当し、以下、同様に、「音声出力部１５」は「警報音出力部」に相当する。
　
ウ　引用発明における「火災警報ランプ６およびガス警報ランプ７の点灯または点滅」は、その機能、構成及び技術的意義からみて、本願発明における「警報表示」に相当し、以下、同様に、「表示出力部１４」は「警報表示部」に相当する。
　
エ　引用発明における「警報停止を受け付ける点検スイッチ１３」は、その機能、構成及び技術的意義からみて、本願発明における「警報停止手段を有する操作部」及び「警報停止手段」に相当する。
　
オ　引用発明における「火災検出部１１およびガス検出部１２」は、その機能、構成及び技術的意義からみて、本願発明における「異常を検出するセンサ部」に相当し、以下、同様に、「検出信号」は「異常検出信号」に、「火災発生やガス発生の」は「連動元を示す」に、「音声メッセージやブザー音のスピーカ８からの出力」は「警報音出力」に、「火災発生やガス発生の警報信号」は「異常を示すイベント信号」に、それぞれ相当する。
　したがって、上記相当関係及び上記アないしエの相当関係を踏まえると、引用発明における「火災検出部１１およびガス検出部１２からの検出信号を受けて、火災発生やガス発生の音声メッセージやブザー音のスピーカ８からの出力、火災警報ランプ６およびガス警報ランプ７の点灯または点滅を行わせるとともに火災発生やガス発生の警報信号を他の警報器１０に送信させる制御部２０」は、本願発明における「異常を検出するセンサ部からの異常検出信号を受けて、連動元を示す警報音出力および警報表示を行わせると共に、異常を示すイベント信号を連動先の警報器に送信させる連動元警報出力処理部」に相当する。
　
カ　上記アないしオの相当関係を踏まえると、引用発明における「前記他の警報器１０から火災発生やガス発生の警報信号を受信した時に、連動先を示す音声メッセージやブザー音のスピーカ８からの出力並びに火災警報ランプ６およびガス警報ランプ７の点灯または点滅を行わせる制御部２０」は、本願発明における「前記他の警報器から異常を示すイベント信号を受信した時に、連動先を示す警報音出力および警報表示を行わせる連動先警報出力処理部」に相当する。
　
キ　引用発明における「警報停止信号」は、その機能、構成及び技術的意義からみて、本願発明における「警報停止のイベント信号」に相当する。
　したがって、上記相当関係及び上記アないしカの相当関係を踏まえると、引用発明における「前記火炎発生やガス発生の音声メッセージやブザー音のスピーカ８からの出力、火災警報ランプ６およびガス警報ランプ７の点灯または点滅中に、点検スイッチ１３の操作を検出した場合に、火災発生やガス発生の音声メッセージやブザー音のスピーカ８からの出力を停止させ且つ火災警報ランプ６およびガス警報ランプ７の点灯または点滅を維持すると共に、警報停止信号を他の警報器１０に送信して音声メッセージやブザー音のスピーカ８からの出力を停止させる制御手段２０」と本願発明における「前記連動元を示す警報音出力および警報表示中に、前記警報停止手段の操作を検出した場合に、前記連動元を示す警報音の出力を停止させ且つ前記連動元を示す警報表示を維持すると共に、警報停止のイベント信号を前記他の警報器に送信して警報音出力および警報表示を停止させる連動元警報停止処理部」は、「前記連動元を示す警報音出力および警報表示中に、前記警報停止手段の操作を検出した場合に、前記連動元を示す警報音の出力を停止させ且つ前記連動元を示す警報表示を維持すると共に、警報停止のイベント信号を前記他の警報器に送信して警報音出力を停止させる連動元警報停止処理部」という限りにおいて一致する。
　
ク　上記アないしキの相当関係を踏まえると、引用発明における「前記連動先を示す音声メッセージやブザー音のスピーカ８からの出力並びに火災警報ランプ６およびガス警報ランプ７の点灯または点滅中に、点検スイッチ１３の操作を検出した場合に連動先を示す音声メッセージやブザー音のスピーカ８からの出力を停止させると共に、警報停止信号を他の警報器１０に送信し、一方、連動先を示す音声メッセージのスピーカ８からの出力並びに火災警報ランプ６およびガス警報ランプ７の点灯または点滅中に、他の警報器から警報停止信号を受信した場合に、連動先を示す音声メッセージのスピーカ８からの出力を停止させる制御装置２０」と本願発明における「前記連動先を示す警報音出力および警報表示中に、前記警報停止手段の操作を検出した場合に、前記連動先を示す警報音出力および警報表示を停止させると共に、警報停止のイベント信号を前記他の警報器に送信し、一方、前記連動先を示す警報音出力および警報表示中に、前記他の警報器から警報停止のイベント信号を受信した場合に、前記連動先を示す警報音出力および警報表示を停止させる連動先警報停止処理部」は、「前記連動先を示す警報音出力および警報表示中に、前記警報停止手段の操作を検出した場合に、前記連動先を示す警報音出力を停止させると共に、警報停止のイベント信号を前記他の警報器に送信し、一方、前記連動先を示す警報音出力および警報表示中に、前記他の警報器から警報停止のイベント信号を受信した場合に、前記連動先を示す警報音出力を停止させる連動先警報停止処理部」という限りにおいて、一致する。
　
ケ　したがって、本願発明と引用発明は、
　「イベント信号を他の警報器との間で送受信する送受信回路部と、
　警報音を出力する警報音出力部と、
　警報表示を行う警報表示部と、
　警報停止手段を有する操作部と、
　異常を検出するセンサ部からの異常検出信号を受けて、連動元を示す警報音出力および警報表示を行わせると共に、異常を示すイベント信号を連動先の警報器に送信させる連動元警報出力処理部と、
　前記他の警報器から異常を示すイベント信号を受信した時に、連動先を示す警報音出力および警報表示を行わせる連動先警報出力処理部と、
　前記連動元を示す警報音出力および警報表示中に、前記警報停止手段の操作を検出した場合に、前記連動元を示す警報音の出力を停止させ且つ前記連動元を示す警報表示を維持すると共に、警報停止のイベント信号を前記他の警報器に送信して警報音出力を停止させる連動元警報停止処理部と、
　前記連動先を示す警報音出力および警報表示中に、前記警報停止手段の操作を検出した場合に、前記連動先を示す警報音出力を停止させると共に、警報停止のイベント信号を前記他の警報器に送信し、一方、前記連動先を示す警報音出力および警報表示中に、前記他の警報器から警報停止のイベント信号を受信した場合に、前記連動先を示す警報音出力を停止させる連動先警報停止処理部、
　とを備えた警報器。」
である点で一致し、以下の点で相違する。
　
（ア）相違点１
　「前記連動元を示す警報音出力および警報表示中に、前記警報停止手段の操作を検出した場合に、前記連動元を示す警報音の出力を停止させ且つ前記連動元を示す警報表示を維持すると共に、警報停止のイベント信号を前記他の警報器に送信して警報音出力を停止させる連動元警報停止処理部と、
　前記連動先を示す警報音出力および警報表示中に、前記警報停止手段の操作を検出した場合に、前記連動先を示す警報音出力を停止させると共に、警報停止のイベント信号を前記他の警報器に送信し、一方、前記連動先を示す警報音出力および警報表示中に、前記他の警報器から警報停止のイベント信号を受信した場合に、前記連動先を示す警報音出力を停止させる連動先警報停止処理部」に関して、本願発明においては、「前記連動元を示す警報音出力および警報表示中に、前記警報停止手段の操作を検出した場合に、前記連動元を示す警報音の出力を停止させ且つ前記連動元を示す警報表示を維持すると共に、警報停止のイベント信号を前記他の警報器に送信して警報音出力
および警報表示
　前記連動先を示す警報音出力および警報表示中に、前記警報停止手段の操作を検出した場合に、前記連動先を示す警報音出力
および警報表示
および警報表示
　前記連動先を示す音声メッセージやブザー音のスピーカ８からの出力および警報ランプの点灯または点滅中に、点検スイッチ１３の操作を検出した場合に連動先を示す音声メッセージやブザー音のスピーカ８からの出力を停止させると共に、警報停止信号を他の警報器１０に送信し、一方、連動先を示す音声メッセージやブザー音のスピーカ８からの出力並びに火災警報ランプ６およびガス警報ランプ７の点灯または点滅中に、他の警報器から警報停止信号を受信した場合に、連動先を示す音声メッセージのスピーカ８からの出力を停止させる制御装置２０」である点、即ち引用発明においては、警報音出力のみを停止し、警報表示は停止させていない点（以下、「相違点１」という。）。
　
（イ）相違点２
　本願発明においては、「警報停止モードを第１モード及び第２モードのいずれか一方に切替えるモード切替部を備え、
　前記連動元警報停止処理部は、前記第１モードの状態での前記連動元を示す警報音の出力中に、前記他の警報器からの警報停止のイベント信号を受信した場合に、警報音の出力を維持し、一方、前記第２モードの状態での前記連動元を示す警報音の出力中に、前記他の警報器からの警報停止のイベント信号を受信した場合に、前記連動元を示す警報音の出力を停止させる」のに対し、引用発明においては、そのようなものではない点（以下、「相違点２」という。）。
　
（２）相違点１及び２についての判断
ア　相違点１について
　引用文献１の記載１ｇの「図１０に例示するように、警報器Ｃ（アドレスＣの警報器１０）は、警報出力時に点検スイッチ１３が引かれると（ステップＳ１００１肯定）、警報停止命令を受け付けたものとして、警報処理のうち
音声警報のみを停止させる
警報処理のうち音声警報のみを停止させる
　また、引用文献１の他の箇所に、引用発明において、「前記火炎発生やガス発生の音声メッセージやブザー音のスピーカ８からの出力、火災警報ランプ６およびガス警報ランプ７の点灯または点滅中に、点検スイッチ１３の操作を検出した場合」に、火災警報ランプ６およびガス警報ランプ７の点灯または点滅を停止する警報停止信号を他の警報器１０に送信すること及び「前記連動先を示す音声メッセージやブザー音のスピーカ８からの出力および警報ランプの点灯または点滅中に、点検スイッチ１３の操作を検出した場合に連動先を示す音声メッセージやブザー音のスピーカ８からの出力を停止させる」際に火災警報ランプ６およびガス警報ランプ７の点灯または点滅を停止させることは記載されておらず、それを示唆する記載もない。
　さらに、引用文献２にも、「前記火炎発生やガス発生の音声メッセージやブザー音のスピーカ８からの出力、火災警報ランプ６およびガス警報ランプ７の点灯または点滅中に、点検スイッチ１３の操作を検出した場合」に、火災警報ランプ６およびガス警報ランプ７の点灯または点滅を停止する警報停止信号を他の警報器１０に送信すること及び「前記連動先を示す音声メッセージやブザー音のスピーカ８からの出力および警報ランプの点灯または点滅中に、点検スイッチ１３の操作を検出した場合に連動先を示す音声メッセージやブザー音のスピーカ８からの出力を停止させる」際に火災警報ランプ６およびガス警報ランプ７の点灯または点滅を停止させることは記載されておらず、それを示唆する記載もない。
　したがって、引用発明において、「前記火炎発生やガス発生の音声メッセージやブザー音のスピーカ８からの出力、火災警報ランプ６およびガス警報ランプ７の点灯または点滅中に、点検スイッチ１３の操作を検出した場合」に、火災警報ランプ６およびガス警報ランプ７の点灯または点滅を停止する警報停止信号を他の警報器１０に送信する動機付けはなく、また、引用発明において、「前記連動先を示す音声メッセージやブザー音のスピーカ８からの出力および警報ランプの点灯または点滅中に、点検スイッチ１３の操作を検出した場合に連動先を示す音声メッセージやブザー音のスピーカ８からの出力を停止させる」際に、火災警報ランプ６およびガス警報ランプ７の点灯または点滅を停止させる動機付けもないから、引用発明において、相違点１に係る本願発明の発明特定事項とすることは、当業者が容易に想到し得たことであるとはいえない。
　
イ　相違点２について
　引用文献１の記載１ｇの「なお、ここでは、全ての警報器１０の音声警報を簡易に停止する例を説明したが、自己の監視領域で異常を検出している場合には、音声警報を停止することなく警報出力を継続してもよい。これによって、少なくとも自ら異常を検出している監視領域では、継続して警報が出力されるので、より安全性を確保することが可能になる。」（段落【００９２】）によると、引用文献１には、「自己の監視領域で異常を検出している場合は、音声警報を停止しなくてもよい、即ち自己の監視領域で異常を検出している場合に、音声警報を停止するようにしても、停止しないようにしてもよいこと」が記載されている（以下、「引用文献１の記載事項（あ）」という。）。
　また、引用文献２の記載によると、引用文献２には、「火災を検知したときに自らは警報を出力し、他の火災警報器に連動警報を出力させるようにした住戸用火災警報器において、警報中止信号を受信した場合に、自らの火災検知による警報の出力を中止するようにしても、自らの火災検知による警報の出力を中止しないようにしてもよいこと」が記載されている（以下、「引用文献２の記載事項」という。）。
　さらに、装置の使用の形態が複数とおりある場合に、使用者が、どの使用形態を採用するかを選択可能とすることは、一般的に行われていることである。
　したがって、引用発明において、引用文献１の記載事項（あ）及び引用文献２の記載事項を適用し、相違点２に係る本願発明の発明特定事項とすることは、当業者であれば容易に想到し得たことである。
　
ウ　むすび
　以上のとおり、相違点２は容易に想到し得たことであるが、相違点１は容易に想到し得たことであるとはいえないので、本願発明は、引用文献１及び２記載の発明に基づいて、当業者が容易に発明をすることができたものであるとはいえない。
  　
第６　むすび 
　以上のとおり、本願発明は、引用文献１及び２記載の発明に基づいて、当業者が容易に発明をすることができたものとすることができないから、原査定の拒絶の理由によっては、本願を拒絶することはできない。
　また、他に本願を拒絶すべき理由を発見しない。
　
　よって、結論のとおり審決する。